(57)【要約】      （修正有）【課題】家具の顕著な装飾的外観において目立たないが、その装飾的外観に隠れた著しく向上された機能的特徴を含む空気清浄機を提供する。【解決手段】室内空気清浄機は、内部チャンバー２０を少なくとも部分的に画定するフレームと、チャンバーに対する開口２１とを有する本体１４を備えている。チャンバー内の浄化機構２２が、１つ以上のフィルター及び１つ以上の送風器を備える。パネルが、本体に取外し可能に取り付けられ、チャンバーに対する開口を覆うように構成される。基部１６が本体に取り付けられ、一組の脚部１８の各脚部が、基部に取り付けられる。不織部分が、本体の少なくとも一部を覆う。送風器は、起動されると、不織部分及びフィルターを通る流入と、本体を通る流出をもたらすが、その全体は、傍目には家具のように見えて視界から隠される。【選択図】図３
0003227568.tif 000002
【実用新案登録請求の範囲】
【請求項１】
室内空気清浄機であって、該室内空気清浄機は、
内部チャンバーを少なくとも部分的に画定するフレームと、前記内部チャンバーに対する開口とを有する本体と、
前記フレームを通して前記本体の外部と流体連通する、前記内部チャンバー内の浄化機構であって、該浄化機構は、少なくとも１つのフィルター及び少なくとも１つの送風器を備える、浄化機構と、
前記本体に取外し可能に取り付けられ、前記内部チャンバーに対する前記開口を覆うように構成されたパネルと、
前記本体に取り付けられた基部と、
一組の脚部と、
前記本体の少なくとも一部を覆う不織部分と、
を備え、
前記送風器は、起動されると、前記不織部分及び前記フィルターを通る流入と、前記本体を通る流出とをもたらすが、その全体は、傍目には家具のように見えるものにおいて視界から隠される、室内空気清浄機。
【請求項２】
前記開口は、前記一組の脚部の反対側にあり、テーブルトップのように見えるように構成された頂部によって覆われる、請求項１に記載の室内空気清浄機。
【請求項３】
前記開口の上部に、前記頂部が前記開口を覆う場合に前記頂部を受けるように構成されたベゼルを更に有する、請求項２に記載の室内空気清浄機。
【請求項４】
前記開口及び前記頂部は、ほぼ正方形であり、前記頂部は、該頂部の向きにかかわらず前記開口を覆うように前記本体に取り付けることができるようになっている、請求項２又は３に記載の室内空気清浄機。
【請求項５】
前記頂部の１つの側部にユーザーインターフェースを更に備える、請求項２〜４のいずれか１項に記載の室内空気清浄機。
【請求項６】
前記浄化機構は、前記本体の１つの側部を通る前記流入と、前記本体の別の側部を通る前記流出とをもたらすように構成される、請求項２〜５のいずれか１項に記載の室内空気清浄機。
【請求項７】
前記浄化機構は、粒子を吸収するように構成された第１のフィルターと、ガスを吸収するように構成された第２のフィルターとを備える、請求項２〜６のいずれか１項に記載の室内空気清浄機。
【請求項８】
粒子状物質センサー及び揮発性有機化合物センサーを更に備える、請求項７に記載の室内空気清浄機。
【請求項９】
前記本体に電源パネルを更に備える、請求項１〜８のいずれか１項に記載の室内空気清浄機。
【請求項１０】
前記一組の脚部の各脚部は、エラストマーキャップを備える、請求項１〜９のいずれか１項に記載の室内空気清浄機。
【請求項１１】
前記一組の脚部の各脚部は、水圧転写スリーブによって覆われる、請求項１〜１０のいずれか１項に記載の室内空気清浄機。
【請求項１２】
前記開口は、前記本体の側部にあり、前記フレームは、前記開口を覆うように前記本体に取外し可能に取り付けられ、前記不織部分は、前記フレームを覆う、請求項１〜１１のいずれか１項に記載の室内空気清浄機。
【請求項１３】
前記浄化機構は、前記フレームを通る前記流入と、前記本体の頂部を通る前記流出とをもたらすように構成される、請求項１２に記載の室内空気清浄機。
【請求項１４】
前記開口は、前記本体の凹部における縦枠によって取り囲まれ、前記フレームは、狭額縁的背景を形成するように前記縦枠に取り付けられる、請求項１２又は１３に記載の室内空気清浄機。
【請求項１５】
前記本体の前記凹部にわたるユーザーインターフェースを更に備える、請求項１４に記載の室内空気清浄機。
【請求項１６】
前記浄化機構は、粒子を吸収するように構成された第１のフィルターと、ガスを吸収するように構成された第２のフィルターとを備える、請求項１２〜１５のいずれか１項に記載の室内空気清浄機。
【請求項１７】
粒子状物質センサー及びガス又は揮発性有機化合物センサーを更に備える、請求項１６に記載の室内空気清浄機。
【請求項１８】
前記一組の脚部の各脚部は、水圧転写スリーブによって覆われる、請求項１２〜１７のいずれか１項に記載の室内空気清浄機。
【請求項１９】
前記本体に電源パネルを更に備える、請求項１２〜１８のいずれか１項に記載の室内空気清浄機。
【考案の詳細な説明】
【技術分野】
【０００１】
本開示は、家具の顕著な装飾的外観において目立たないが、その装飾的外観に隠れた著しく向上された機能的特徴も含む空気清浄機の種々の態様に関する。そのような特徴は、インテリジェント制御、自動的に切替え可能な構成、容易に変換可能な配置、及び、特に布地カバーの少なくとも不織部分による増幅された濾過機能に関する。
【背景技術】
【０００２】
装飾品又は家具に組み込まれた空気清浄装置が既知である。そのような装置は、通常、フィルター又は紫外光又はイオン注入器を用いて、装置を取り巻く空気を浄化する。しかしながら、製造、動作、機能、及び装飾的外観において未解決のままの問題が絶えず存在する。
【考案の概要】
【０００３】
本考案の１つの態様は、内部チャンバーを少なくとも部分的に画定するフレームと、チャンバーに対する開口とを有する本体を備える室内空気清浄機に関する。チャンバー内の浄化機構が、フレームを通して本体の外部と流体連通し、浄化機構は、１つ以上のフィルター及び１つ以上の送風器を備える。パネルが、本体に取外し可能に取り付けられ、チャンバーに対する開口を覆うように構成される。基部が本体に取り付けられ、一組の脚部の各脚部が、基部に取り付けられる。不織部分が、本体の少なくとも一部を覆う。送風器は、起動されると、不織部分及びフィルターを通る流入と、本体を通る流出をもたらすが、その全体は、傍目には家具のように見えるものにおいて視界から隠される。
【図面の簡単な説明】
【０００４】
【図１】本明細書に記載の種々の態様に係る空気清浄機機能を有する家具の第１の実施形態の等角図である。
【図２】図１の第１の実施形態における空気流の方向の概略図である。
【図３】図１の第１の実施形態の態様の分解図である。
【図４ａ】線４−４に沿う図１の第１の実施形態の一部の側面断面図である。
【図４ｂ】線４−４に沿う図１の第１の実施形態の一部の側面断面図である。
【図５ａ】電気的アクセスを示す、図１の第１の実施形態の一部の背面図である。
【図５ｂ】電気的アクセスを示す、図１の第１の実施形態の一部の背面図である。
【図６ａ】ユーザーインターフェースを示す、図１の第１の実施形態の一部の正面図である。
【図６ｂ】ユーザーインターフェースを示す、図１の第１の実施形態の一部の正面図である。
【図７】頂部が取り除かれた、図１の第１の実施形態の一部の等角図である。
【図８】本明細書に記載の種々の態様に係る代替的な空気清浄機構成の概略図である。
【図９】アクセス領域を示す、図１の第１の実施形態の側面図である。
【図１０】自律式床洗浄装置を組み込んだ図９の側面図である。
【図１１】自律式床洗浄装置を組み込んだ図１の第１の実施形態の正面図である。
【図１２】本明細書に記載の種々の態様に係る空気清浄機機能を有する家具の別の実施形態の等角図である。
【図１３】図１２の実施形態の空気流の方向の概略図である。
【図１４】図１２の実施形態の態様の分解図である。
【図１５】図１２の実施形態の基部の拡大図である。
【図１６】本明細書に記載の種々の態様に係る家具の一実施形態の等角図である。
【図１７】図１６の実施形態の脚部の等角図である。
【図１８】図１６の実施形態の基部の等角図である。
【図１９】本明細書に記載の種々の態様に係る家具の別の実施形態の等角図である。
【図２０】図１９の実施形態の基部の等角図である。
【図２１】図１９の実施形態の本体の等角図である。
【図２２】本明細書に記載の種々の態様に係る空気清浄機の一実施形態の等角図である。
【図２３】図２２の実施形態の基部の等角図である。
【図２４】図２２の実施形態の脚部の等角図である。
【図２５】本明細書に記載の種々の態様に係る空気清浄機の別の実施形態の等角図である。
【図２６】図２５の実施形態の脚部の等角図である。
【図２７】本明細書に記載の種々の態様に係る空気清浄機の別の実施形態の等角図である。
【図２８】図２７の実施形態の頂部の等角図である。
【図２９】図２７の実施形態の本体の等角図である。
【図３０】本明細書に記載の種々の態様に係る空気清浄機の別の実施形態の等角図である。
【図３１】図３０の実施形態の頂部の等角図である。
【図３２】図３０の実施形態の基部の等角図である。
【考案を実施するための形態】
【０００５】
本開示は、家具の顕著な装飾的外観において目立たないが、その装飾的外観に隠れた著しく向上された機能的特徴も含む空気清浄機の種々の態様に関する。そのような特徴は、インテリジェント制御、自動的に切替え可能な構成、容易に変換可能な配置、及び、特に布地カバーの少なくとも不織部分による増幅された濾過機能に関する。
【０００６】
図１〜図３は、家具として構成された一実施形態の空気清浄機１０の基本要素を示している。空気清浄機１０は、頂部１２と、本体１４と、基部１６と、基部１６から延在し、空気清浄機１０を床又は他の表面上に支持することを可能にする一組の脚部１８とを備える。本体１４は、浄化機構２２を備えるチャンバー２０を包囲する。チャンバー２０は、本体１４の上端部に、頂部１２によって覆うことができる開口２１を有する。図２に示されているように、空気流は、浄化機構２２によって本体１４を出入りするように導かれる。不浄な空気が、流入Ａのとおりに本体１４に引き込まれ、清浄な空気が、流出Ｂのとおりに本体１４から排出される。頂部１２は、金型成形、射出成形、又は組立てのいずれかによってポリマーから形成される構造体であることが好ましいが、木材又は金属等の他の材料も本考案の範囲内にある。頂部１２は、テーブルトップのように見え、テーブルトップとして機能するように構成された上面２４と、好ましくは均等な寸法の側部２６とを有し、この場合、頂部１２及び本体１４の全体の水平断面は正方形となる。したがって、頂部１２は、本体１４上で４つの可能な位置のうちのいずれの位置に向けることもできる。頂部１２は、側部２６のうちの１つにユーザーインターフェース２８を備えることができ、この場合、正方形の構成であれば、頂部１２を本体１４上に配置する前に、頂部１２を本体１４に対して回転させるだけで、ユーザーが本体１４の任意の側にユーザーインターフェース２８を位置付けることができる。代替的には、ユーザーインターフェース２８の１つ以上の要素を、頂部１２の上面２４に結合、配置、又は組み込むことができる。ユーザーインターフェース２８は、耐水又は防水のタッチディスプレイを含むことができることが想定される。耐水又は防水のタッチディスプレイは、限定はしないが、国際保護等級（International Protection Marking codes：ＩＰコード）によってＩＰＸ４及びＩＰＸ５として表されるような技術を含むことができる。頂部１２は、外側に向けた使用に好適な下面２９を有することができ、それにより、頂部１２を縦に回転させ、下面２９又は上面２４のいずれかが露出する位置に着座させることができることが更に想定される。縦回転により、頂部１２は、任意に、本体１４上で８つの可能な位置のうちのいずれの位置に向けることもできる。下面２９及び上面２４は、異なる材料で製造又は被覆することができる。非限定的な例として、下面２９又は上面２４の少なくとも１つ以上の部分を被覆するのに用いることができる材料として、ガラス、ベニヤ板、プラスチック、布、又は金属が挙げられる。
【０００７】
頂部１２は、いくつかのよく知られた方法のうちの任意のものによって本体１４に取り付けられるように構成することができる。これらの方法として、限定はしないが、本体１４のソケットに嵌め込む、本体１４の肩部に載せる、本体１４にスナップ留めする、本体１４に掛止する、又は本体１４にヒンジ接続することが挙げられる。さらに、頂部１２は、側部２６のユーザーインターフェース２８に連結された電気的接続部（図示せず）を有することができ、この電気的接続部は、浄化機構２２に連結されているか、又は浄化機構２２上で、頂部１２が本体１４に取り付けられると浄化機構２２に直接連結されるようになっている、本体１４の別の電気的接続部（図示せず）に係合する。頂部１２におけるユーザーインターフェース２８は任意であり、頂部１２及び本体１４の水平断面形状は、正方形である必要はないことが理解されよう。例えば、頂部１２の２つの対向する側部２６が頂部の他の２つの対向する側部２６よりも長い場合、水平断面形状は、概ね長方形となる。本考案の範囲内において、水平断面形状は、装飾用の家具として合致した任意の形状とすることができる。例えば、水平断面形状は、コーナーキャビネット等、２辺が斜辺に交わる三角形とすることができ、この場合、２辺がコーナーにおいて壁に接して配置され、斜辺が視界に露出する。別の例において、斜辺は必ずしも真っ直ぐである必要はなく、家具の他の特徴を際立たせるために、円形、湾曲、又は弧状であってもよい。
【０００８】
本体１４は、頂部１２と同様の水平断面形状を有することが好ましい。ただし、本体１４は、頂部１２がチャンバー２０の開口２１を効果的に覆う限り、頂部の水平断面形状にかかわらず任意の水平断面形状を有することができることが理解されよう。本体１４は、浄化機構２２と流体連通するように、垂直側部３１を通した流入Ａ及び流出Ｂを可能にするように構成された開口を有するフレーム３０を備える。フレーム３０は、流入Ａに対するプレフィルターとして作用するように適合された布地３２によって完全に覆われることが好ましい。フレーム３０は、リブ、外形加工突出部、又は他の支持構造部等の構造を有することができ、それにより、布地は、空気清浄機１０が起動されると所定のパターン又は形状になるように構成することができる。代替的には、布地に覆われない１つ以上の開口（図示せず）を頂部１２と本体１４との間に設けることができ、この開口は、浄化機構２２と流体連通するように、垂直側部３１を通した流入Ａ及び流出Ｂを可能にするように構成される。
【０００９】
布地３２は、織布よりも気孔率の大きい編地であることが好ましく、気孔率は、３００立方フィート毎分（ＣＦＭ）、すなわち０．１４２立方メートル毎秒（ｍ３／ｓ）の空気流入Ａの場合に、布地を通して２５０パスカルを超える圧力降下が生じないようなものが好ましい。さらに、流入Ａは、必ずしも流出Ｂとは異なる側である必要はない。流入Ａは、所与の側の一部におけるものとすることができ、流出Ｂは、この所与の側の別の部分におけるものとすることができる。流入Ａは、流出Ｂの反対の側におけるものとすることができる。また、複数の流入Ａ及び複数の流出Ｂが存在することができる。
【００１０】
ベゼル３４が、頂部１２と本体１４との間に設けられる。ベゼル３４は、様々な頂部１２を様々な本体１４に取り付けることを可能にするアダプターとして構成することができる。また、ベゼル３４は、空気清浄機１０の装飾的外観を向上させるような装飾的な特徴とすることができる。これに関して、ベゼル３４は、頂部１２又は本体１４とは異なる材料で形成してもよく、頂部１２又は本体１４とは異なる質感又は色を有してもよい。さらに、ユーザーインターフェース（図示せず）をベゼル３４に設けてもよいことが理解されよう。
【００１１】
基部１６は、金型成形、射出成形、又は組立てのいずれかによって、頂部１２と同様の材料、すなわちポリマーから形成されることが好ましいが、木材又は金属等の他の材料も本考案の範囲内にある。基部１６は、一組の脚部１８を収納するレセプタクル又はソケット４０を有することができる。各ソケット４０は、中心軸４１から或る角度で概ね外方に突出することが好ましい。ソケット４０の数は、通常、組内の脚部１８の数と等しい。基部は、本体１４に恒久的に取り付けられるとともに、本体１４のフットプリントの大きさを超えないフットプリントを有するように適合されることが好ましい。代替的には、一組の脚部１８は、ソケット４０を伴わずに基部１６に直接取り付けることができる。
【００１２】
各脚部１８は、ボルト留め、ねじ留め、バヨネット固定、又はスナップ留め若しくは圧入等の様々なよく知られた方法のうちの任意のものによってソケットに取り付けられる。脚部１８は、木材、ポリマー、又は複合材料で形成することができ、テーパー形状を有することが好ましい。各脚部１８は、空気清浄機１０による振動を吸収し、騒音を最小限にするために、終端部にエラストマーキャップ４２を有する。脚部１８は、水圧転写（hydrographic）スリーブ４４によって覆うこともでき、織地を伴っても伴わなくてもよい。脚部１８の数は、典型的には４つであるが、脚部の数が空気清浄機１０を或る表面上に支持するのに適切である限り、より多数又はより少数の場合も本考案の範囲内にある。
【００１３】
図４ａ及び図４ｂは、頂部１２の一実施形態に関する更なる詳細を示している。頂部１２は、凹状領域５０を有し、凹状領域５０は、凹状領域５０の表面より上に隆起したリップ５２によって囲まれている。リップ５２は、液体が頂部１２において零れた場合にリップ５２を越えて流れることを阻止することが理解されよう。さらに、リップ５２は、本体１４の垂直側部３１を越えて延在することが好ましく、液体がリップ５２を越えて流れたとしても、液体が側部２６から離れて落下し、垂直側部３１を滴り落ちることがないようになっている。図４ｂにおいて、頂部１２は、垂下する側壁５４及び基部壁５６を有し、側壁５４及び基部壁５６は、本体１４の肩部５８、又は図４ｂに示されているようにベゼル３４に収まることを見て取ることができる。
【００１４】
図５ａ及び図５ｂは、空気清浄機１０に配線管理を与える実施形態を示している。図５ａにおいて、好ましくは、基部１６を通って、ユーザーインターフェース、モーター、コントローラー等のような電力を必要とする内部コンポーネントまで延在するコード６０によって、空気清浄機１０に電力が与えられることを見て取ることができる。図５ａにおいて、電源パネル６２が垂直側部３１の頂部１２付近に配置され、頂部１２上に支持することができる装置のための簡便なアクセスを可能にする。例えば、電源パネル６２は、ユニバーサルシリアルバス（ＵＳＢ）ポート６４、又は他の任意の通電コネクタ及び通電ソケット６６を有することができる。例えばＵＳＢコードによって充電される電力を必要とする電子デバイスは、ＵＳＢポートに挿し込むことができ、従来のソケットからの電力を必要とする機器は、電源ソケット６６に挿し込むことができる。図５ｂにおいて、電源パネル６２は、チャンバー２０内に配置することができ、頂部１２を移動させて開口２１を露出させると、開口２１を介してアクセス可能であることが想定される。この実施形態では、ＵＳＢ及び電源コードは、本体１４内の電源パネル６２に接続するように、電源ポート６８を通して延在することができる。一例としてＵＳＢポートについて特に記載したが、電磁誘導充電を含む任意の通電コネクタを、ＵＳＢポートに加えて又はＵＳＢポートの代わりに用いることができることが想定される。
【００１５】
図６ａ及び図６ｂは、本体１４の垂直側部３１に配置されたユーザーインターフェース７０の実施形態を示している。ユーザーインターフェース７０は、表示されない場合には布地３２によって視界から隠されていることが好ましい。図６ａにおいて、ユーザーインターフェース７０は、複数のライト７２を備えることができ、複数のライト７２は、起動されると、布地３２越しに見ることができる。図６ｂにおいて、ユーザーインターフェース７０は、複数の標示７４を有し、複数の標示７４は、起動されると布地３２越しに見ることができ、ユーザーはそれを読み取ることができる。
【００１６】
図７は、浄化機構２２の一実施形態を示している。第１のフィルター８０が、本体１４の１つの垂直側部３１ａにおいてフレーム３０内に配置され、この場所で、流入Ａがチャンバーに入る。第２のフィルター８２が、本体１４の別の垂直側部３１ｂにおいてフレーム３０内に配置され、この場所で、別の流入Ａ’がチャンバーに入る。第１のフィルター８０及び第２のフィルター８２は、同様のものであってもよく、又は、厚さ、濾過媒体、気孔率、及び意図される汚染物捕捉能等の種々の観点において異なってもよい。例えば、第１のフィルター８０は、粒子を捕捉するように構成することができ、第２のフィルター８２は、ガスを捕捉するように構成することができる。フレーム３０は、布地３２の後ろに調整可能な通気孔（図示せず）を有することができ、この通気孔は、流入Ａ、Ａ’を所望に応じて可能にするか又は阻害するように制御可能である。これに関して、ユーザーが、ガスは濾過せず、粒子のみを濾過したい場合があり得るが、この場合、浄化機構２２は、流入Ａを可能にし、流入Ａ’を阻害するように設定することができる。または、ユーザーが、粒子は濾過せず、ガスのみを濾過したい場合があり得るが、この場合、浄化機構２２は、流入Ａ’を可能にし、流入Ａを阻害するように設定することができる。浄化機構２２は、流出Ｂをもたらす単一の送風器８４を備える。フレーム３０は、垂直側部３１ｃ、３１ｄの一方又は双方からの流出Ｂを導くように構成してもよい。第１のフィルター８０及び第２のフィルター８２は、洗浄又は交換を容易にするために独立して取外し可能であることが好ましい。
【００１７】
図８は、浄化機構２２が、対応する第１のフィルター８０又は第２のフィルター８２とそれぞれ連携する独立の送風器８６、８８を備える一実施形態を概略的に示している。これにより、流入Ａが、布地３２、フレーム３０、及び第１のフィルター８０を通過し、その後、プレナム９０に入ることができる。それとは別に、流入Ａ’が、布地３２、フレーム３０、及び第２のフィルター８２を通過し、その後、プレナム９０に入ることができる。第１のフィルター８０及び第２のフィルター８２は、粒子状物質（ＰＭ）又は揮発性有機化合物（ＶＯＣ）を濾過するように独自に設計することができる。各独立の送風器８６、８８は、独立して制御可能とすることができる。送風器が１つのみ動作する場合、チャンバー２０は、１つの流入が規定の流出Ｂ以外の場所に排出されることを防ぐように構成されることが理解されよう。
【００１８】
少なくとも１つのＰＭセンサー９２又はガス若しくはＶＯＣセンサー９４は、少なくとも１つのＰＭセンサー９２又はＶＯＣセンサー９４からの入力に基づいて１つ以上の独立の送風器８６、８８の速度を調整するように独立の送風器８６、８８と通信することができる。非限定的な例として、少なくとも１つのＰＭセンサー９２又はＶＯＣセンサー９４は、布地３２と第１のフィルター８０及び第２のフィルター８２との間に示されている。少なくとも１つのＰＭセンサー９２又はＶＯＣセンサー９４の場所は、空気清浄機１０上又は空気清浄機１０内の任意の場所とすることができることが想定される。更なる非限定的な例として、プレナム９０が、少なくとも１つのＰＭセンサー９２若しくはＶＯＣセンサー９４に加えて、又は少なくとも１つのＰＭセンサー９２若しくはＶＯＣセンサー９４の代わりに、ＰＭセンサー９３又はＶＯＣセンサー９５を更に備えることができる。
【００１９】
任意の数又はタイプのセンサーが、独立の送風器８６、８８と通信することができることが更に想定される。センサーのタイプとして、限定はしないが、臭気センサー、動きセンサー、温度センサー、湿度センサー、光センサー、又は聴覚センサーを挙げることができる。
【００２０】
図９は、一組の脚部１８と、基部１６と、床８３とによって画定されるアクセス領域８１を示す空気清浄機１０の側面図である。ドッキングステーション８５が、アクセス領域８１内に又はアクセス領域８１に隣接して位置することができる。ドッキングステーション８５は、任意の既知の電気的接続部を用いてコネクタ８７を介して空気清浄機１０に電気的に接続することができる。コネクタ８７は、空気清浄機１０とドッキングステーション８５との間の無線給電（wireless induction of electricity）を例示することができることが想定される。
【００２１】
コネクタ８７は、空気清浄機１０の電源パネル６２をドッキングステーション８５に接続するものとして示されているが、コネクタ８７は、ドッキングステーション８５への電気の流れを可能にする、空気清浄機１０の任意の部分に連結することができることが想定される。必要に応じて、ドッキングステーション８５は、アクセス領域８１内に延在する突出部８９を有することができる。
【００２２】
図１０は、ドッキングステーション８５に連結された自律式床洗浄装置９１を示している。自律式床洗浄装置９１は、任意の自律式移動体（autonomous vehicle）とすることができることが想定される。
【００２３】
図１１は、アクセス領域８１を、非限定的な例として自律式床洗浄装置９１とともに更に示している。一組の脚部１８は、アクセス領域８１を部分的に画定し、アクセス領域８１は、ドッキングステーション８５を収納する、空気清浄機１０の下の開口とみなすことができる。ドッキングステーション８５に連結された通信モジュール９７を用いて、自律式床洗浄装置９１をドッキングステーション８５に自律的にガイドすることができる。通信モジュール９７は、非限定的な例として、自律式床洗浄装置９１と通信する赤外線照準線ホーミングビーコンを用いることができる。
【００２４】
図１２〜図１４は、別の実施形態の空気清浄機１００の基本要素を示している。空気清浄機１００は、本体１４０と、基部１６０と、基部１６０から延在し、空気清浄機１００を床又は他の表面上に支持することを可能にする一組の脚部１８０とを備える。本体１４０は、浄化機構２２０を備えるチャンバー２００を包囲する。チャンバー２００は、本体１４０の凹部２４０において正面開口２１０を有する。正面開口２１０は、チャンバー２００への流入Ａを受け取るように適合される。頂部２５０は、チャンバー２００からの流出Ｂを可能にする複数の開口２５５を有する。
【００２５】
正面開口２１０は、開放したフレーム３００を摩擦嵌合によって収納するように構成された凹部２４０内の縦枠（jamb）２６０によって境界を定められる。付加的又は代替的には、フック又はデテント式ラッチを用いて、開放したフレーム３００を固定することができる。フレーム３００上のタブ３１０により、フレームを縦枠２６０から取り外す及び縦枠２６０に再配置することが可能である。布地カバー３２０は、いくつかのよく知られた方法のうちの任意のものによってフレーム３００に取り付けられ、それにより、フレーム３００とともにユニットとして移動可能とすることができることが好ましい。布地カバー３２０及びフレーム３００は、布地カバー３２０の一部が凹部２４０を覆って延在し、狭額縁的背景（infinity background）の印象を与えるように構成される。布地カバー３２０は、流入Ａに対するプレフィルターとして作用するように適合される。布地カバー３２０は、織布よりも気孔率の大きい編地であることが好ましく、気孔率は、３００ＣＦＭの空気流入Ａの場合に、布地を通して２５０パスカルを超える圧力降下が生じないようなものが好ましい。さらに、凹部２４０における縦枠２６０の位置は、フレーム３００が縦枠２６０に取り付けられると、傍目には布地カバー３２０に対する狭額縁的背景として映るものを画定することが好ましい。
【００２６】
フィルター８００は、フレーム３００内に取り付けられ、流入Ａに対して設計された濾過機能を提供するように構成される。フィルター８００は変更可能であるため、様々な容量の粒子フィルター又はガスフィルター等の、異なるタイプのフィルターを用いることができる。
【００２７】
浄化機構２２０は、単一の送風器４１０を備え、送風器４１０は、頂部２５０の複数の開口２５５と流体連通するチャネル４２０内の空気流をもたらす。送風器４１０は、流入Ａを、布地カバー３２０のプレフィルター、開放したフレーム３００、及びフィルター８００を通して引き込み、濾過された流出Ｂを、チャネル４２０及び複数の開口２５５を通して排出する。送風器４１０は、流入Ａ及び流出Ｂの速度を調整するために、可変速コントローラー（図示せず）によって制御することができることが理解されよう。また、単一の送風器を、２つ以上の送風器及び２つ以上のフィルターに置き換えて、粒子及びガス濾過等の異なる濾過機能に適応させることができる。
【００２８】
ユーザーインターフェース５００を、本体１４０から凹部２４０の上に垂下するタブ５１０に配置することができ、それにより、ユーザーインターフェース５００は、狭額縁的背景の上に浮いているように見える。ユーザーインターフェース５００は、完全に統合されたテキスト表示及びグラフィック表示のための個々にコード化されたライトによる任意のタイプの表示器とすることができる。凹部２４０に設けられた照明により、視認性及び美観が向上し得ることが理解されよう。
【００２９】
図１５は、基部１６０の更なる詳細を示している。基部１６０は、金型成形、射出成形、又は組立てのいずれかによってポリマーから形成されることが好ましいが、木材又は金属等の他の材料も本考案の範囲内にある。基部１６０は、一組の脚部１８０を受けるソケット１７０を有する。各ソケットは、中心軸１９０から或る角度で概ね外方に突出することが好ましい。ソケット１７０の数は、通常、組内の脚部１８０の数と等しい。基部１６０は、本体１４０に恒久的に取り付けられるとともに、本体１４０のフットプリントの大きさを超えないフットプリントを有するように適合されることが好ましい。代替的には、一組の脚部１８０は、基部１６０に直接取り付けることができる。
【００３０】
各脚部１８０は、ボルト留め、ねじ留め、バヨネット固定、又はスナップ留め若しくは圧入等の様々なよく知られた方法のうちの任意のものによってソケットに取り付けられる。脚部１８０は、木材、ポリマー、又は複合材料で形成することができ、テーパー形状を有することが好ましい。各脚部１８０は、空気清浄機１００による振動を吸収し、騒音を最小限にするために、終端部にエラストマーキャップ１９５を有する。脚部１８０は、水圧転写スリーブ１９８によって覆うこともでき、織地を伴っても伴わなくてもよい。脚部１８０の数は、典型的には４つであるが、脚部の数が空気清浄機１００を或る表面上に支持するのに適切である限り、より多数又はより少数の場合も本考案の範囲内にある。
【００３１】
図１６〜図３２は、家具及び空気清浄機の種々の実施形態の装飾的外観を示している。
【００３２】
図１６は、家具の一実施形態の装飾的外観を等角図で示している。
【００３３】
図１７は、図１６の実施形態の脚部の装飾的外観を等角図で示している。
【００３４】
図１８は、図１６の実施形態の基部の装飾的外観を等角図で示している。
【００３５】
図１９は、家具の別の実施形態の装飾的外観を等角図で示している。
【００３６】
図２０は、図１９の実施形態の基部の装飾的外観を等角図で示している。
【００３７】
図２１は、図１９の実施形態の本体の装飾的外観を等角図で示している。
【００３８】
図２２は、空気清浄機の一実施形態の装飾的外観を等角図で示している。
【００３９】
図２３は、図２２の実施形態の基部の装飾的外観を等角図で示している。
【００４０】
図２４は、図２２の実施形態の脚部の装飾的外観を等角図で示している。
【００４１】
図２５は、空気清浄機の別の実施形態の装飾的外観を等角図で示している。
【００４２】
図２６は、図２５の実施形態の脚部の装飾的外観を等角図で示している。
【００４３】
図２７は、空気清浄機の別の実施形態の装飾的外観を等角図で示している。
【００４４】
図２８は、図２７の実施形態の頂部の装飾的外観を等角図で示している。
【００４５】
図２９は、図２７の実施形態の本体の装飾的外観を等角図で示している。
【００４６】
図３０は、空気清浄機の別の実施形態の装飾的外観を等角図で示している。
【００４７】
図３１は、図３０の実施形態の頂部の装飾的外観を等角図で示している。
【００４８】
図３２は、図３０の実施形態の基部の装飾的外観を等角図で示している。
【００４９】
これまでに記載していない範囲まで、本開示の様々な態様の異なる特徴及び構造を所望に応じて互いに組み合わせて使用することができる。したがって、新たな態様が明らかに記載されているか否かに関わらず、様々な態様の様々な特徴を所望のように組み合わせて、新たな態様を構成することができる。
【００５０】
本開示の態様を或る特定の態様に関して具体的に記載したが、これは限定ではなく例示のためのものであることが理解される。添付の特許請求の範囲に規定される本開示の趣旨から逸脱することなく、上記の開示及び図面の範囲で合理的な変形及び変更が可能である。したがって、本明細書に開示されている態様に関する特定の寸法及び他の物理的特徴は、請求項において別段の明確な記述がない限り、限定とみなされるべきでない。
【００５１】
本願は、２０１９年３月１２日に出願された米国特許出願第１６／２９９，５６１号の利益を主張する。この米国特許出願の開示は、引用することによりその全体が本明細書の一部をなす。
【図１】
0003227568.tif 000003
【図２】
0003227568.tif 000004
【図３】
0003227568.tif 000005
【図４ａ】
0003227568.tif 000006
【図４ｂ】
0003227568.tif 000007
【図５ａ】
0003227568.tif 000008
【図５ｂ】
0003227568.tif 000009
【図６ａ】
0003227568.tif 000010
【図６ｂ】
0003227568.tif 000011
【図７】
0003227568.tif 000012
【図８】
0003227568.tif 000013
【図９】
0003227568.tif 000014
【図１０】
0003227568.tif 000015
【図１１】
0003227568.tif 000016
【図１２】
0003227568.tif 000017
【図１３】
0003227568.tif 000018
【図１４】
0003227568.tif 000019
【図１５】
0003227568.tif 000020
【図１６】
0003227568.tif 000021
【図１７】
0003227568.tif 000022
【図１８】
0003227568.tif 000023
【図１９】
0003227568.tif 000024
【図２０】
0003227568.tif 000025
【図２１】
0003227568.tif 000026
【図２２】
0003227568.tif 000027
【図２３】
0003227568.tif 000028
【図２４】
0003227568.tif 000029
【図２５】
0003227568.tif 000030
【図２６】
0003227568.tif 000031
【図２７】
0003227568.tif 000032
【図２８】
0003227568.tif 000033
【図２９】
0003227568.tif 000034
【図３０】
0003227568.tif 000035
【図３１】
0003227568.tif 000036
【図３２】
0003227568.tif 000037